(57)【要約】【課題】刃先によって使用者等の手等を傷つけてしまうの防止してより安全性の高い彫刻刀を提供する。【解決手段】彫刻刀１０に、前端に刃先１２ａを有した刃部材１２と、刃部材１２の刃先１２ａよりも前方へ位置することが可能なガード部１４ａ、及びガード部１４ａから後方へ延びた延出部１４ｂを有するガード部材１４と、ガード部材１４における延出部１４ｂの後端をガード部１４ａが刃部材１２の刃先１２ａよりも前方に位置するガード位置とガード部１４ａが刃先１２ａよりも後方に位置する退避位置との間で刃部材１２の延びる方向へスライド可能に支持すると共に、刃部材１２の後端を保持する棒状の柄部材１６と、を具備させる。【選択図】図１
2012157982.tif 000002
【特許請求の範囲】
【請求項１】
前端に刃先を有した刃部材と、
該刃部材の前記刃先よりも前方へ位置することが可能なガード部、及び該ガード部から後方へ延びた延出部を有するガード部材と、
該ガード部材における前記延出部の後端を前記ガード部が前記刃部材の前記刃先よりも前方に位置するガード位置と前記ガード部が前記刃先よりも後方に位置する退避位置との間で前記刃部材の延びる方向へスライド可能に支持すると共に、前記刃部材の後端を保持する棒状の柄部材と
を具備することを特徴とする彫刻刀。
【請求項２】
前記ガード部材を少なくとも前記ガード位置で前記柄部材に対してスライド不能にロックするロック手段を更に具備することを特徴とする請求項１に記載の彫刻刀。
【発明の詳細な説明】
【技術分野】
【０００１】
本発明は、彫刻刀の刃先から使用者等の指等を保護するためのガード部材を備えた彫刻刀に関するものである。
【背景技術】
【０００２】
従来より、彫刻刀の刃先から使用者や他の者等の手や身体等を保護するものとして、彫刻刀の刃部材に対して脱着可能に挿入される胴部の両側から彫刻刀の刃先の周囲を囲うように形成されたループ部を有する彫刻刀カバー（特許文献１）や、彫刻刀の刃体が植設される柄部材の前端部に対して着脱可能に装着され刃部材の刃先を包囲する刃先カバーを備えたもの（特許文献２）等が提案されている。そして、彫刻刀にこれらカバー等を装着することで、木材等を彫る時に、彫刻刀の刃先よりも前側に位置したカバーのループ部等の前端が、彫刻刀の刃先よりも先に使用者等の手等に当接するようになり、彫刻刀の刃先が使用者等に触れて傷つけてしまうのを防止することができるようになっている。
【発明の概要】
【発明が解決しようとする課題】
【０００３】
しかしながら、従来のものは、彫刻刀の刃部材が延びる方向へカバー（ガード部材）を移動させることで、カバーを着脱するようにしており、カバーを手で持って彫刻刀に装着する場合、蓋然的に彫刻刀の刃先が使用者の手の方向を向くので、誤って手等を傷つけてしまう虞があった。また、カバーを、彫刻刀に対して着脱できるようにしているので、カバーを取外して使用した場合、取外したカバーを紛失してしまうことがあり、カバーを紛失してしまうと彫刻刀を安全に使用することができなくなる虞があった。
【０００４】
そこで、本発明は上記の実情に鑑み、刃先によって使用者等の手等を傷つけてしまうの防止してより安全性の高い彫刻刀の提供を課題とするものである。
【課題を解決するための手段】
【０００５】
上記の課題を解決するために、本発明に係る彫刻刀は、「前端に刃先を有した刃部材と、該刃部材の前記刃先よりも前方へ位置することが可能なガード部、及び該ガード部から後方へ延びた延出部を有するガード部材と、該ガード部材における前記延出部の後端を前記ガード部が前記刃部材の前記刃先よりも前方に位置するガード位置と前記ガード部が前記刃先よりも後方に位置する退避位置との間で前記刃部材の延びる方向へスライド可能に支持すると共に、前記刃部材の後端を保持する棒状の柄部材とを具備する」ことを特徴とするものである。
【０００６】
ここで、「刃部材」としては、「印刃」、「平刃」、「三角刃」、「丸刃」、「切出刃」、等の適宜形態の刃先を有したものを例示することができる。
【０００７】
また、「ガード部材」としては、ガード部と延出部とを合せた形状が、刃部材の延びる方向に対して直角方向から見て、「コ字状」、「Ｃ字状」、「Ｌ字状」、「Ｈ字状」、「Ｕ字状」、「Ｊ字状」、等の形状を例示することができ、刃先の前方に位置することができるガード部を有したものであれば良い。また、「刃先よりも前方に位置」とは、「刃部材の延長線上とは異なる位置で刃先よりも前方の位置」、「刃部材の延長線上で刃先よりも前方の位置」、等を例示することができる。なお、刃部材の延長線上とは異なる位置とした場合では、ガード部を当該延長線に対して可及的に接近した位置に配置することが望ましい。
【０００８】
更に、「柄部材」としては、例えば、木材、合成樹脂、金属、等の適宜素材を用いることができ、持ち易い形状に形成すれば良い。
【０００９】
また、「刃部材の延びる方向へスライド可能に支持する」ものとしては、「柄部材に刃部材の延びる方向へ延びたガイド部（溝、突条、等）を形成し、ガード部材に柄部材のガイド部に案内される被ガイド部を形成したもの」、「ガード部材に刃部材の延びる方向へ延びたガイド部（溝、突条、等）を形成し、柄部材にガード部材のガイド部に案内される被ガイド部を形成したもの」、等を例示することができる。
【００１０】
本発明によると、ガード部材を柄部材に対してガイド位置へスライドさせた状態で使用することで、刃先よりも前方へ位置したガード部が、刃先よりも先に使用者等の手等に当接して刃先が手等に接触するのを阻止することができるので、刃先によって使用者等の手等を傷つけてしまうのを防止することができ、安全性の高い彫刻刀とすることができる。
【００１１】
また、彫刻刀の扱い方に慣れたり、彫刻する時にガード部が邪魔になったり、刃先を研いだりする場合には、ガード部材を退避位置へスライドさせることで、ガード部を刃先よりも前方の位置から後方の位置へ移動させることができるので、ガード部が邪魔になることなく彫刻刀を使用したり研いだりすることができ、必要に応じてガード部材をスライドさせてガード部でガードすることで使い勝手の良い彫刻刀とすることができる。
【００１２】
更に、ガード部材を柄部材に対してスライドさせることで、使用者等の手等を刃先からガードしたり、ガードを解除したりするようにしているので、従来のもののようにガード部材（カバー）を着脱する必要がなく、着脱の際に手等が刃先に触れて怪我をしてしまったり、取外したガード部材（カバー）を紛失してしまったりするのを防止することができ、彫刻刀の安全性が損なわれるのを回避させることができる。
【００１３】
また、本発明に係る彫刻刀は、上記の構成に加えて、「前記ガード部材を少なくとも前記ガード位置で前記柄部材に対してスライド不能にロックするロック手段を更に具備する」ことを特徴としても良い。
【００１４】
ここで、「ロック手段」としては、「柄部材の所定位置に刃部材の延びる方向に対して直角方向へ窪んだ又は突出した係合部を備えると共に、ガード部材に柄部材の係合部と係合する被係合部を備え、係合部と被係合部を係合させることでスライド不能とし、係合部と被係合部との係合を解除させることでスライド可能とするもの」、「柄部材又はガード部材に形成されたガード部材をスライド可能に支持するための刃部材の延びる方向へ延びたガイド部に、ガイド部の長手方向に対して直角方向へ分岐したガイド分岐部を備え、ガイド部側からガイド分岐部側へ移動させることでスライド不能とし、ガイド分岐部側からガイド部側へ移動させることでスライド可能とするもの」、「ガード部材をガード位置へスライドさせた時に、ガード部材の後側に形成された退避位置へスライドするための空間を埋めることが可能なロック部材を更に備え、ロック部材を柄部材に取付けることでスライド不能とするもの」、等を例示することができる。
【００１５】
本発明によると、ガード部材を少なくともガード位置でスライド不能にロックするロック手段を備えているので、ロック手段によってガード部材をガード位置でロックすることで、彫刻刀を使用中にガード部材が退避位置側へスライドしてしまうのを確実に防止することができ、ガード部材のガード部による効果を確実に発揮させてより安全性の高い彫刻刀とすることができる。
【００１６】
なお、ロック手段によってガード部材を退避位置でロックできるようにしても良く、これにより、ガード部材が退避位置の状態で彫刻刀を使用したり刃先を研いだりしている時に、ガード部材がガード位置側へスライドして使用等の妨げとなるのを防止することができ、使い易い彫刻刀とすることができる。また、ロック手段によってガード部材を任意の位置でロックできるようにしても良い。
【発明の効果】
【００１７】
このように、本発明によれば、刃先によって使用者等の手等を傷つけてしまうの防止してより安全性の高い彫刻刀を提供することができる。
【図面の簡単な説明】
【００１８】
【図１】（Ａ）は本発明の一実施形態である彫刻刀をガード部材がガード位置へスライドした状態で示す斜視図であり、（Ｂ）は（Ａ）の彫刻刀をガード部材が退避位置へスライドした状態で示す斜視図である。
【図２】（ａ）は図１の彫刻刀の平面図であり、（ｂ）は図１の彫刻刀の側面図であり、（ｃ）は図１の彫刻刀の底面図である。
【図３】図１の彫刻刀におけるガード部材のスライドとロックを示す説明図である。
【図４】（ａ）は図１の彫刻刀とはロック手段が異なる形態の彫刻刀をガード部材がガード位置へスライドした状態の要部を示す平面図であり、（ｂ）は（ａ）の彫刻刀の側面図であり、（ｃ）は（ａ）の彫刻刀の底面図であり、（ｄ）は（ａ）の彫刻刀をガード部材が退避位置へスライドした状態で示す平面図である。
【図５】図４の彫刻刀におけるガード部材のスライドとロックを示す説明図である。
【発明を実施するための形態】
【００１９】
本発明の一実施形態である彫刻刀１０について、図１乃至図３を参照して詳細に説明する。図１（Ａ）は本発明の一実施形態である彫刻刀をガード部材がガード位置へスライドした状態で示す斜視図であり、（Ｂ）は（Ａ）の彫刻刀をガード部材が退避位置へスライドした状態で示す斜視図である。また、図２（ａ）は図１の彫刻刀の平面図であり、（ｂ）は図１の彫刻刀の側面図であり、（ｃ）は図１の彫刻刀の底面図である。更に、図３は、図１の彫刻刀におけるガード部材のスライドとロックを示す説明図である。
【００２０】
本実施形態の彫刻刀１０は、前端に刃先１２ａを有した刃部材１２と、刃部材１２の刃先１２ａよりも前方へ位置することが可能なガード部１４ａ、及びガード部１４ａから後方へ延びた延出部１４ｂを有するガード部材１４と、ガード部材１４における延出部１４ｂの後端をガード部１４ａが刃部材１２の刃先１２ａよりも前方に位置するガード位置とガード部１４ａが刃先１２ａよりも後方に位置する退避位置との間で刃部材１２の延びる方向へスライド可能に支持すると共に、刃部材１２の後端を保持し使用者が把持可能とされた棒状の柄部材１６と、柄部材１６に対してガード部材１４をガード位置と退避位置でスライド不能にロックすることが可能なロック手段としてのロック部材１８と、を備えている。
【００２１】
なお、本実施形態では、彫刻刀１０の刃部材１２として三角刃のものを図示しているが、平刃、丸刃、切出刃、印刃等の刃部材としても良い。また、本例では、ガード部材１４柄部材１６、及びロック部材１８が、合成樹脂によって形成されている。
【００２２】
彫刻刀１０のガード部材１４は、ガード部１４ａの平面視における幅方向（刃部材１２の延びる方向に対して直角方向）両端から延出部１４ｂが夫々後方へ延びだしている。また、ガード部材１４は、上述したガード部１４ａと延出部１４ｂの他に、延出部１４ｂの後端を互いに連結すると共に後述する柄部材１６のガイド部１６ａが挿入可能とされた被ガイド部１４ｃと、を備えている。ガード部材１４の被ガイド部１４ｃは、詳細な図示は省略するが、下側が開放されて断面が略コ字状に形成されている。このガード部材１４には、被ガイド部１４ｃの開放された下側を閉鎖するようにロック部材１８が回動可能に取付けられている。
【００２３】
また、ガード部材１４は、図２等に示すように、ガード部１４ａと延出部１４ｂとを合せた形状が、ガード位置にスライドさせた時に刃部材１２の外周を囲うように平面視でＣ字状（或いはＵ字状）に形成されている。また、ガード部材１４は、図２（ｂ）に示すように、ガード部１４ａが刃部材１２の延長線上に対して上側へ離れた位置に配置されていると共に、ガード部１４ａから後方へ延びた延出部１４ｂの後端が刃部材１２の延びる軸線に対して下側の位置となるように延出部１４ｂが斜めに延びた形態とされている。
【００２４】
彫刻刀１０の柄部材１６は、ガード部材１４の被ガイド部１４ｃ内へ挿入可能とされ略同一断面形状で前端から後方へ向かって延びたガイド部１６ａと、ガイド部１６ａの前端から刃部材１２の延びる方向（前後方向）に対して直角方向に突出した鍔部１６ｂと、ガイド部１６ａの後端から後方へ延出し使用者が把持可能とされた把持部１６ｃと、を備えている。また、柄部材１６は、ガイド部１６ａの下面に、刃部材１２の延びる方向に対して直角方向（上方向）へ窪んだ一対の係合部１６ｄを備えている。これら係合部１６ｄは、ロック部材１８と共にロック手段を構成し、ガード部材１４のガード位置と退避位置とに夫々対応した位置で互いに前後方向へ離反して配置されている。
【００２５】
彫刻刀１０のロック部材１８は、ガード部材１４における被ガイド部１４ｃの開放された下側を被覆可能な板状の本体部１８ａと、本体部１８ａの幅方向両端から被ガイド部１４ｃの側面側へ延出し前端側が被ガイド部１４ｃの側面に対して回動可能に取付けられる側板部１８ｂと、本体部１８ａの上面側から突出し柄部材１６の係合部１６ｄ内へ挿入係合可能とされた被係合部１８ｃと、本体部１８ａの後端から後方へ突出した操作部１８ｄと、を備えている。
【００２６】
本例の彫刻刀１０は、組立てた状態では、ガード部材１４の被ガイド部１４ｃ内に柄部材１６のガイド部１６ａが挿入された状態となっており、ガイド部１６ａにガイドされてガード部材１４が刃部材１２の延びる方向（前後方向）へスライドすることができるようになっている。なお、ガード部材１４は、柄部材１６の鍔部１６ｃ及び把持部１６ｃの前端によって前方及び後方の移動端が規制されるようになっており、ガイド部１６ａ（柄部材１６）から抜けないようになっている。
【００２７】
また、彫刻刀１０は、前方の移動端であるガード位置、又は後方の移動端である退避位置に、ガード部材１４を位置させた上で、ロック部材１８の本体部１８ａが柄部材１６におけるガイド部１６ａの下面と平行になるようにロック部材１８を回動させた状態とすると、本体部１８ａから突出した被係合部１８ｃが柄部材１６の係合部１６ｄ内へ挿入係合するようになっており、係合部１６ｄと被係合部１８ｃとを互いに係合することで、ガード部材１４がスライド不能にロックされるようになっている。
【００２８】
更に、彫刻刀１０は、ロック部材１８における本体部１８ａの後端の操作部１８ｄが柄部材１６のガイド部１６ａから遠ざかる方向へロック部材１８を回動させた状態とすると、ロック部材１８の被係合部１８ｃが柄部材１６の係合部１６内から抜けた状態となり、ロック部材１８によるロックが解除されてガード部材１４をスライド可能にすることができるようになっている。
【００２９】
続いて、本実施形態の彫刻刀１０におけるガード部材１４のスライドとロックについて詳細に説明する。本例の彫刻刀１０は、ガード部材１４ａをガード位置（前方側の移動端の位置）に位置させた状態とすると、ガード部材１４のガード部１４ａが刃部材１２の刃先１２ａよりも前方に位置すると共にガード部材１４の一対の延出部１４ｂが刃部材１２の幅方向両側に位置し、平面視で刃部材１２がガード部１４ａと延出部１４ｂで囲まれた状態となる（図２等を参照）。
【００３０】
そして、ガード部材１４をガード位置に位置させた状態で、ガード部材１４における被ガイド部１４ｃの下部に取付けられたロック部材１８を、本体部１８ａが柄部材１６のガイド部１６ａの下面と平行になるように回動させた状態とすると、本体部１８ａから突出した被係合部１８ｃが柄部材１６の係合部１６ｄ内に挿入係合された状態となり、ガード部材１４がロック部材１８によってスライド不能にロックされた状態となる（図３（ａ）等を参照）。
【００３１】
本例の彫刻刀１０は、ガード部材１４をガード位置でロック部材１８によってスライド不能にロックした状態で使用することによって、刃部材１２の刃先１２ａよりも前方に位置したガード部材１４のガード部１４ａにより使用者等の手等を刃先１２ａから保護することができ、通常はガード部材１４をガード位置でロックして使用する。
【００３２】
一方、ガード部材１４をガード位置でロックした状態から退避位置へスライドさせる場合は、まずロック部材１８の操作部１８ｄが柄部材１６におけるガイド部１６ａの下面から遠ざかる方向へロック部材１８を回動させる。これにより、柄部材１６の係合部１６ｄ内に挿入嵌合されたロック部材１８の被係合部１８ｃが、係合部１６ｄ内から抜けた状態となり、ガード部材１４のロックが解除された状態となる（図３（ｂ）を参照）。
【００３３】
ロック部材１８によるガード部材１４のロックを解除した状態で、ガード部材１４に後方向（退避位置の方向）への力を加えると、ガード部材１４が柄部材１６のガイド部１６ａにガイド（案内）されて退避位置の方向へスライドし、ガード部材１４（被ガイド部１４ｃ）の後端が柄部材１６における把持部１６ｃの前端と当接するまでガード部材１４を後方向へスライドさせる。なお、ガード部材１４のガード部１４ａが、刃部材１２の延長線上から上側へ離れた位置に配置されているので、ガード部１４ａが刃部材１２に当接することなくガード部材１４を退避位置側へスライドさせることができるようになっている。そして、ガード部材１４が把持部１６ｃの前端に当接すると、ガード部材１４がこれ以上後方向へスライドするのを阻止されガード部材１４のスライドが停止すると共に、ガード部材１４が退避位置に位置することとなる（図３（ｃ）を参照）。
【００３４】
その後、ガード部材１４を退避位置へスライドさせた状態で、ロック部材１８の操作部１８ｄが柄部材１６におけるガイド部１６ａの下面に接近する方向へロック部材１８を回動させ、ロック部１８の突出した被係合部１８ｃを柄部材１６の窪んだ係合部１６ｄ内へ挿入係合させると共に、ロック部材１８の本体部１８ａをガイド部１６ａの下面と平行となるようにする。これにより、ガード部材１４がガイド部１６ａに対してスライド不能なロックされた状態となる（図３（ｄ）を参照）。
【００３５】
なお、本例の彫刻刀１０は、ガード部材１４を退避位置に位置させると、図示するように、ガード部材１４のガード部１４ａが柄部材１６の前端に対して可及的に接近した位置となるようになっており、彫刻刀１０を使用している時や刃先１２ａを研いだりしている時にガード部１４ａが作業の妨げとなるのを回避させることができるようになっている。
【００３６】
このように、本実施形態の彫刻刀１０は、ガード部材１４を、柄部材１６に対してガイド位置へスライドさせた状態で使用することで、刃先１２ａよりも前方へ位置したガード部１４ａが、刃先１２ａよりも先に使用者等の手等に当接して、刃先１２ａが手等に接触するのを阻止することができるので、刃先１２ａによって使用者等の手等を傷つけてしまうのを防止することができ、安全性の高い彫刻刀１０とすることができる。
【００３７】
また、本例の彫刻刀１０によると、彫刻刀１０の扱い方に慣れたり、彫刻する時にガード部１４ａが邪魔になったり、刃先１２ａを研いだりする場合には、ガード部材１４を退避位置へスライドさせることで、ガード部１４ａを刃先１２ａよりも前方の位置から後方の位置へ移動させることができるので、ガード部１４ａが邪魔になることなく彫刻刀１０を使用したり研いだりすることができると共に、必要に応じてガード部材１４をスライドさせてガード部１４ａで刃先１２ａからガードすることで使い勝手の良い彫刻刀１０とすることができる。
【００３８】
更に、彫刻刀１０によると、ガード部材１４を柄部材１６に対してスライドさせることで、使用者等の手等を刃先１２ａからガードしたり、ガードを解除したりするようにしているので、従来のもののようにガード部材１４（カバー）を着脱する必要がなく、着脱の際に手等が刃先１２ａに触れて怪我をしてしまったり、取外したガード部材１４を紛失してしまったりするのを防止することができ、彫刻刀１０の安全性が損なわれるのを回避させることができる。
【００３９】
また、彫刻刀１０によると、ロック部材１８によってガード部材１４をガード位置でスライド不能にロックすることができるので、彫刻刀１０を使用中にガード部材１４が退避位置側へスライドしてしまうのを確実に防止することができ、ガード部材１４のガード部１４ａによる効果を確実に発揮させてより安全性の高い彫刻刀とすることができる。また、彫刻刀１０によると、ロック部材１８によってガード部材１４を退避位置でもロックすることができるので、ガード部材１４が退避位置の状態で彫刻刀１０を使用したり刃先１２ａを研いだりしている時に、ガード部材１４がガード位置側（前方側）へスライドして使用等の妨げとなるのを防止することができ、使い易い彫刻刀１０とすることができる。
【００４０】
更に、彫刻刀１０によると、ガード部材１４のガード部１４ａを刃部材１２の延長線上よりも上側に位置させているので、ガード部１４ａが刃部材１２に当接することなくガード部材１４を前後方向へスライドさせることができ、ガード部１４ａが刃先１２ａよりも後方に位置した退避位置へガード部材１４をスムーズにスライドさせることができる。また、ガード部１４ａを刃部材１２の延長線上よりも上側へ位置させているので、彫刻刀１０を斜めにして使用する際に、ガード部材１４の延出部１４ｂを撓ませなくても刃部材１２の刃先１２ａで彫刻することができ、使い易い彫刻刀１０とすることができる。
【００４１】
また、彫刻刀１０によると、ガード部１４ａを刃部材１２よりも上側に配置すると共に、ガード部１４ａから延びた延出部１４ｂを側面視で斜めに延びるようにしており、彫刻刀１０で板を彫刻する時に、斜めに延びた延出部１４ｂが板と略平行に延びた状態となるので、ガード部１４ｂが手等に当接した際に、ガード部１４ｂからかかる力を延出部１４ｂの延びた方向で受けて延出部１４ｂに曲げモーメントが作用するのを可及的に低減させることができ、延出部１４ｂが曲がったり折れたりするのを防止してガード部１４ａにより使用者等の手等を確実にガード（保護）することができる。
【００４２】
以上、本発明について好適な実施形態を挙げて説明したが、本発明は上記の実施形態に限定されるものではなく、以下に示すように、本発明の要旨を逸脱しない範囲において、種々の改良及び設計の変更が可能である。
【００４３】
すなわち、上記実施形態では、ガード部材１４をスライド不能にロックするロック手段として、ガード部材１４の被ガイド部１４ｃに回動可能に取付けられたロック部材１８を回動させて、刃部材１２の延びる方向に対して直角方向へ突出した被係合部１８ｃを柄部材１６のガイド部１６ａにおける窪んだ係合部１６ｄ内に挿入係合させることでガード部材１４をスライド不能にロックするものを示したが、これに限定するものではなく、例えば、図４及び図５に示すようなロック手段を備えた彫刻刀２０としても良い。
【００４４】
ここで、図４（ａ）は図１の彫刻刀とはロック手段が異なる形態の彫刻刀をガード部材がガード位置へスライドした状態の要部を示す平面図であり、（ｂ）は（ａ）の彫刻刀の側面図であり、（ｃ）は（ａ）の彫刻刀の底面図であり、（ｄ）は（ａ）の彫刻刀をガード部材が退避位置へスライドした状態で示す平面図である。また、図５は、図４の彫刻刀におけるガード部材のスライドとロックを示す説明図である。なお、図４及び図５の実施形態では、上記実施形態と同様の構成については同一の符号を付すと共に、詳細な説明は省略する。
【００４５】
彫刻刀２０は、上記の彫刻刀１０と同様に、前端に刃先１２ａを有した刃部材１２と、刃部材１２の刃先１２ａよりも前方に位置することが可能なガード部１４ａを有したガード部材１４と、ガード部材１４を刃部材１２の延びる方向へスライド可能に保持する棒状の柄部材１６と、を備えている。この彫刻刀２０は、彫刻刀１０と比較してガード部材１４に回動可能に取付けられるロック部材１８を備えておらず、ガード部材１４の被ガイド部１４ｃが柄部材１６のガイド部１６ａを挿通可能な筒状に形成されていると共に、詳細は後述するが柄部材１６の係合部１６ｄが異なる形状に形成されている。
【００４６】
彫刻刀２０のガード部材１４は、被ガイド部１４ｃの両側面に配置され下側が丸くなった半円形状のボタン部１４ｄ（図４（ｂ）を参照）と、ボタン部１４ｄの前後両側及び上側を囲むように形成され被ガイド部１４ｃの外壁を貫通したスリット１４ｅと、ボタン部１４ｄから被ガイド部１４ｃの内部へ延出する延出片１４ｆ（図５を参照）と、延出片１４ｆの先端から上方へ突出した被係合片１４ｇと、を備えている。この彫刻刀２０は、ガード部材１４のボタン部１４ｄを外側から押圧すると、ボタン部１４ｄの下辺側を中心として回動するようにボタン部１４ｄ、延出片１４ｆ、及び被係合片１４ｇが傾動するようになっていると共に、ボタン部１４ｄの押圧を解除すると、ガード部材１４を構成する素材の弾性力によってボタン部１４ｄ等が元の状態に復帰するようになっている。
【００４７】
また、彫刻刀２０の柄部材１６は、ガイド部１６ａの両側面でガード部材１４のガード位置と退避位置とに夫々対応する位置に形成され、刃部材１２の延びる方向（前後方向）に対して直角方向へ窪むと共に下面側が開放された一対の係合部１６ｄを備えており、係合部１６ｄ内にガード部材１４の被係合片１４ｇを挿入係合させることができるようになっている。また、彫刻刀２０の柄部材１６は、前後方向へ離反した一対の係合部１６ｄ同士を互いに連通させガイド部１６ａの側面から所定距離中心側へ寄った位置で前後方向へ延びると共に下面側が開放された溝状の連通部１６ｅと、連通部１６ｅ及び一対の係合部１６ｄによって形成され前後方向へ延びた板状の係止片１６ｆとを備えている。柄部材１６の係止片１６ｆは、図示するように、下端がガイド部１６ａの下面よりも上側へ位置するように形成されており、下端よりも下側でガード部材１４の延出片１４ｆが通過できるようになっている。なお、この彫刻刀２０では、ボタン部１４ｄ、スリット１４ｅ、延出片１４ｆ、被係合片１４ｇ、係合部１６ｄ、連通部１６ｅ、及び係止片１６ｆによって本発明のロック手段を構成している。
【００４８】
この彫刻刀２０は、ガード部材１４をガード位置又は退避位置に位置させると共にボタン部１４ｄを押圧操作していない通常の状態では、ガード部材１４のボタン部１４ｄから内側へ突出した延出片１４ｆ及び被係合片１４ｇが、柄部材１６の係合部１６ｄ内へ挿入された状態となっており、ガード部材１４の被係合片１４ｇが柄部材１６における係止片１６ｆの正面投影範囲内に掛かるようになっている（図５（ａ）等を参照）。これにより、ガード部材１４の被係合片１４ｇが係合部１６ｄの内壁を構成する係止片１６ｆの前後方向の端面に当接することができ、ガード部材１４を前後方向へスライドさせると被係合片１４ｇが係止片１６ｆの端面を含む係合部１６ｄの内壁に当接し、ガード部材１４をスライドさせることができない、つまり、ガード部材１４がスライド不能にロックされた状態となっている。
【００４９】
この彫刻刀２０は、例えば、図５（ａ）に示すように、ガード部材１４をガード位置でスライド不能にロックした状態で、ガード部材１４における被ガイド部１４ｃの両側面に備えられたボタン部１４ｄを、互いに接近する方向へ押圧すると、その押圧力によってボタン部１４ｄと共に延出片１４ｆ及び被係合片１４ｇが傾動し、延出片１４ｆ及び被係合片１４ｇが係止片１６ｆよりも下側の位置や連通部１６ｅ内へ移動することとなる。そして、図５（ｂ）に示すように、ボタン部１４ｄを押圧して、被係合片１４ｇが係止片１６ｆの正面投影範囲内から外れるまで傾動させると、被係合片１４ｇが係止片１６ｆの端面と当接しないようになり、ロックが解除された状態となってガード部材１４を退避位置側へスライドさせることができるようになる。
【００５０】
そして、ボタン部１４ｄを押圧してロックを解除した状態のままでガード部材１４を退避位置へスライドさせ、退避位置でボタン部１４ｄの押圧を止めると、ボタン部１４ｄが弾性力によって元の状態に復帰し、被係合片１４ｇが係止片１６ｆの正面投影範囲内に掛かってガード部材１４がスライド不能にロックされた状態となる（図５（ｃ）を参照）。なお、ガード部材１４を退避位置からガード位置へスライドさせる場合は、上述とは逆の手順を行うことでガード位置へスライドさせてロックすることができる。
【００５１】
このように、彫刻刀２０によっても上記の実施形態と同様の作用効果を奏することができる他に、ガード部材１４及び柄部材１６の両側面に夫々ロック手段を備えるようにしているので、ガード部材１４のスライドを二重にロックすることができ、ガード部材１４（ガード部１４ａ）に強い力が作用してもスライドのロックを解除され難くすることができると共に、両側のボタン部１４ｄを同時に押圧操作しないとロックを解除することができないので、誤ってロックが解除されてしまったり、簡単にロックが解除されてしまったりするのを抑制することができ、より安全性の高い彫刻刀２０とすることができる。
【００５２】
また、上記の実施形態では、ロック手段として、柄部材１６に刃部材１２の延びる方向に対して直角方向へ窪んだ係合部１６ｄに、ガード部材１４側（ロック部材１８を含む）にから突出した被係合部１８ｃや被係合片１４ｇを挿入係合させることでガード部材１４のスライドをロックするものを示したが、これに限定するものではなく、例えば、柄部材１６のガイド部１６ａに刃部材１２の延びる方向へ延びたガイド溝と、ガイド溝の長手方向両端から刃部材１２の延びる方向に対して直角方向へ延びた分岐溝とを有したロック溝を形成すると共に、ガード部材１４にロック溝内へ摺動可能に挿入される突起を形成し、ガード部材１４の突起をロック溝の分岐溝内へ移動させることで、刃部材１２の延びる方向へガード部材１４がスライドするのをロックできるようにしても良く、上述と同様の作用効果を奏することができる。
【００５３】
更に、上記の実施形態では、ガード部材１４におけるガード部１４ａと延出部１４ｂとで形成される平面視の形状が略Ｃ字状に形成されるものを示したが、これに限定するものではなく、例えば、コ字状、Ｌ字状、Ｈ字状、Ｊ字状、等の様々な形状に形成されるものとしても良く、上述と同様の作用効果を奏することができる。
【符号の説明】
【００５４】
１０  彫刻刀
１２  刃部材
１２ａ  刃先
１４  ガード部材
１４ａ  ガード部
１４ｂ  延出部
１４ｃ  被ガイド部
１４ｄ  ボタン部（ロック手段）
１４ｅ  スリット（ロック手段）
１４ｆ  延出片（ロック手段）
１４ｇ  被係合片（ロック手段）
１６  柄部材
１６ａ  ガイド部
１６ｂ  鍔部
１６ｃ  把持部
１６ｄ  係合部（ロック手段）
１６ｅ  連通部（ロック手段）
１６ｆ  係止片（ロック手段）
１８  ロック部材（ロック手段）
１８ａ  本体部
１８ｂ  側板部
１８ｃ  被係合部
１８ｄ  操作部
２０  彫刻刀
【先行技術文献】
【特許文献】
【００５５】
【特許文献１】特開２００１−３４７７９４号公報
【特許文献２】特開２００９−０００８７４号公報
【図１】
2012157982.tif 000003
【図２】
2012157982.tif 000004
【図３】
2012157982.tif 000005
【図４】
2012157982.tif 000006
【図５】
2012157982.tif 000007